(57)【要約】【課題】形状の異なる複数種類の中皿を収容することができ、しかも、落下時の衝撃等で中皿や化粧料が破損したり、損傷したりすることがなく、しかも、中皿を取り出した際に手や周りのものを汚すことがなく、接着剤を必要としない化粧料容器を提供する。【解決手段】上面に中皿収容凹部１a が形成された容器本体部１と、この容器本体部１の中皿収容凹部１a に着脱自在に収容される中皿３とを備えている。そして、この中皿３の周側壁３ｂの外周面から鍔部２５が突設され、上記容器本体部１の中皿収容凹部１a を取り囲む周側壁１１に、中皿３の鍔部２５を載置する連結壁１４が形成され、上記中皿収容凹部１a の底壁１５と中皿３の底壁３ｃとが離間し空気層を設けた状態で、上記容器本体部１の連結壁１４上に中皿３の鍔部２５が載置されている。【選択図】図１
2006288806.tif 000002
【特許請求の範囲】
【請求項１】
上面に中皿収容凹部が形成された容器本体と、この容器本体の中皿収容凹部に着脱自在に収容される中皿とを備え、この中皿の周側壁の外周面から鍔部が突設され、上記容器本体の中皿収容凹部の上端開口部に、中皿の鍔部を載置する載置面が形成され、上記中皿収容凹部の底壁と中皿の底壁とが離間し空気層を設けた状態で、上記容器本体の載置面上に中皿の鍔部が載置されていることを特徴とする化粧料容器。
【請求項２】
上記鍔部が、上記中皿の周側壁の上端縁外周面から突設されている請求項１記載の化粧料容器。
【請求項３】
上記中皿収容凹部の周側壁と中皿の周側壁とが離間している請求項１または２記載の化粧料容器。
【請求項４】
上記中皿の底壁から凸部が下向きに突設され、上記容器本体の載置面上に中皿の鍔部を載置した状態で、上記凸部の下面が上記中皿収容凹部の底面に当接している請求項１〜３のいずれか一項に記載の化粧料容器。
【発明の詳細な説明】
【技術分野】
【０００１】
本発明は、化粧料容器に関するものである。
【背景技術】
【０００２】
従来から、ファンデーション等の化粧料を収容するレフィル容器等の各種の化粧料容器として、図１０に示すようなレフィル容器が出回っている。このレフィル容器は、上面開放状の容器本体３１と、この容器本体３１の上面を蓋する蓋体３２と、化粧料３３ａが充填された化粧皿３３とを備えており、この化粧皿３３の底面に設けた接着剤層３４を上記容器本体３１の底面に仮固定した状態で、上記容器本体３１に化粧皿３３を内嵌状に収容，固定している。図において、３５は上記容器本体３１の底壁に穿設した棒挿通用の貫通孔である（例えば、特許文献１参照）。
【特許文献１】実開平６−１３７０８号公報
【発明の開示】
【発明が解決しようとする課題】
【０００３】
しかしながら、上記のレフィル容器では、容器本体３１に化粧皿３３を内嵌状に収容しているため、化粧皿３３として、容器本体３１の形状に対応する形状のものしか用いることができない。したがって、容器本体３１に、形状の異なる複数種類の化粧皿３３を収容することができないという問題がある。しかも、容器本体３１の底面に化粧皿３３を接着剤層３４を介して仮固定しているため、上記のレフィル容器を床上等に落下等させて容器本体３１の底壁を床上等に衝突させてしまうと、この衝突時の衝撃等が容器本体３１の底壁に作用するとともに、接着剤層３４を介して化粧皿３３や化粧料３３ａにも直接に作用し、化粧皿３３や化粧料３３ａが破損したり、損傷したりするという問題がある。しかも、容器本体３１と化粧皿３３とを接着剤層３４で接着，固定しているため、化粧皿３３を取り出した際に接着剤層３４の接着剤がべたついて取り扱いにくく、手や周りのものを汚してしまうという問題や、上記接着剤が必要になるという問題もある。
【０００４】
本発明は、このような事情に鑑みなされたもので、形状の異なる複数種類の中皿を収容することができ、しかも、落下時の衝撃等で中皿や化粧料が破損したり、損傷したりすることがなく、しかも、中皿を取り出した際に手や周りのものを汚すことがなく、接着剤を必要としない化粧料容器の提供をその目的とする。
【課題を解決するための手段】
【０００５】
上記の目的を達成するため、本発明の化粧料容器は、上面に中皿収容凹部が形成された容器本体と、この容器本体の中皿収容凹部に着脱自在に収容される中皿とを備え、この中皿の周側壁の外周面から鍔部が突設され、上記容器本体の中皿収容凹部の上端開口部に、中皿の鍔部を載置する載置面が形成され、上記中皿収容凹部の底壁と中皿の底壁とが離間し空気層を設けた状態で、上記容器本体の載置面上に中皿の鍔部が載置されているという構成をとる。
【発明の効果】
【０００６】
すなわち、本発明の化粧料容器は、上面に中皿収容凹部が形成された容器本体と、この容器本体の中皿収容凹部に着脱自在に収容される中皿とを備え、この中皿の周側壁の外周面から鍔部が突設され、上記容器本体の中皿収容凹部の上端開口部に、中皿の鍔部を載置する載置面が形成されている。そして、上記中皿収容凹部の底壁と中皿の底壁とが離間し空気層を設けた状態で、上記容器本体の載置面上に中皿の鍔部が載置されている。このように、本発明の化粧料容器では、上記容器本体の中皿収容凹部の上端開口部に形成された載置面に、中皿の周側壁の外周面から突設された鍔部を載置した状態で、上記容器本体に中皿を着脱自在に収容しているだけであるため、上記中皿の形状が、上記容器本体の中皿収容凹部の形状と異なる形状であっても、上記中皿収容凹部の内部に収容することができ、かつ上記載置面に載置しうる鍔部を有する中皿であれば、上記容器本体の中皿収容凹部に収容，載置することができる。しかも、本発明の化粧料容器を床上等に落下等させて容器本体の底壁を床上等に衝突させてしまっても、この衝突時の衝撃等が容器本体の底壁に作用したのち、緩衝作用を有する空気層を介して中皿やこの中皿に収容される化粧料に作用するため、上記空気層の緩衝作用で中皿および化粧料を保護することができ、中皿や化粧料が破損したり、損傷したりすることがない。しかも、上記中皿の鍔部を利用してこの中皿を容器本体に収容，載置しているため、容器本体や中皿の底壁に接着剤層を設ける必要がなく、接着剤層を構成するホットメルト等の接着剤で手や周りのものを汚したりすることがなく、取り扱いが容易であるうえ、上記接着剤を不要とすることができる。
【０００７】
なお、本発明において、「中皿」とは、皿状（化粧皿を載置するための底壁を有するもの）に形成されているものに限定するものではなく、中皿に、化粧料を充填した化粧皿を収容する場合には、化粧皿を抜け落ち防止状に保持しうる枠状のもの（例えば、上記底壁を有しないもの）でもよい。また、本発明において、「鍔部」は、中皿の周側壁の外周面からこの外周面に沿って連続した状態で突設されていてもよいし、非連続の状態で（１個所もしくは複数個所で途切れた状態で）形成されていてもよい。また、本発明において、容器本体の載置面上に中皿の鍔部を載置した状態で、容器本体に中皿を固定する手段としては、容器本体の中皿収容凹部を蓋する蓋体を用意し、閉蓋時にこの蓋体で、容器本体の載置面上に載置した中皿の鍔部を押圧状に固定するようにしてもよいし、シュリンク包装やブリスター包装により固定するようにしてもよい。
【０００８】
また、上記鍔部が、上記中皿の周側壁の上端縁外周面から突設されていると、上記中皿の製造が容易になる。
【０００９】
また、上記中皿収容凹部の周側壁と中皿の周側壁とが離間していると、この中皿の周側壁の形状が、上記中皿収容凹部の周側壁の形状と異なるものを複数種類用いることができる。しかも、本発明の化粧料容器を床上等に落下等させて容器本体の周側壁を床上等に衝突させてしまっても、上記両周側壁間の空気層の緩衝作用で中皿および化粧料を保護することができ、中皿や化粧料が破損したり、損傷したりすることがない。
【００１０】
また、上記中皿の底壁から凸部が下向きに突設され、上記容器本体の載置面上に中皿の鍔部を載置した状態で、上記凸部の下面が上記中皿収容凹部の底面に当接していると、上記鍔部だけでなく、上記凸部でも中皿を支受することができ、上記鍔部に作用する負荷を軽減することができる。
【発明を実施するための最良の形態】
【００１１】
つぎに、本発明の実施の形態を図面にもとづいて詳しく説明する。
【００１２】
図１は本発明の化粧料容器の一実施の形態を示している。図において、１は上面に中皿収容凹部１a が形成された合成樹脂製の容器本体部（容器本体）で、２は上記容器本体部１を蓋する合成樹脂製の蓋体部である。これら容器本体部１および蓋体部２は、一体成形により一連に形成された一体成形品である（図２参照）。３は上面に化粧皿収容凹部３a が形成された皿状の合成樹脂製の中皿であり、上記容器本体部１の中皿収容凹部１a に着脱自在に収容されている。４は内部にファンデーション等の固形状化粧料４ａが充填された金属製もしくは合成樹脂製の化粧皿であり、上記中皿３の化粧皿収容凹部３a に接着剤層等（図示せず）により収容，固定されている（図１参照）。
【００１３】
上記容器本体部１には、図２および図３に示すように、その上面に略四角形環状の周側壁１１が折り曲げ形成されており、この内側部分で上記中皿収容凹部１a が形成されている。上記周側壁１１は、所定間隔を開けて配設される内外二重壁１２，１３と、これら両壁１２，１３の上端縁同士を連結する連結壁１４とからなり、この連結壁１４（後述する両指挿入用凹部１６が形成された部分を除く）の上面（載置面）に、後述する中皿３の鍔部２５が載置されるようにしている。また、上記両壁１２，１３のうち、内壁１２は上記容器本体部１の底壁（すなわち、中皿収容凹部１a の底壁）１５から垂設されており、外壁１３は、上記容器本体部１の底壁１５から垂設された下部周壁１３ａと、この下部周壁１３ａの上端縁から上方に向かって内向き傾斜状に傾斜する上部周壁１３ｂからなっている。
【００１４】
また、上記容器本体部１には、その周側壁１１の相対峙する両側壁（図２では、前後両側壁）に、指先を挿入して中皿３を中皿収容凹部１a から取り出すための指挿入用凹部１６が形成されている。また、上記周側壁１１には、その外壁１３の下部周壁１３ａの４箇所の角部の外周面に、後述する蓋体部２の各凹部２ａに着脱自在に係合しうる凸部１７が形成されている。図において、１８は上記容器本体部１の底壁１５から上方に向かって突出形成された略四角形状の平板状凸部である。
【００１５】
上記蓋体部２は、上記容器本体部１の外壁１３の一側部（図２では、右側部）の下端縁から突設された連結部１９に回動自在に連結している。また、上記蓋体部２は、図４に示すように、上記容器本体部１の外壁１３の下部周壁１３ａに着脱自在に外嵌状に係合しうる下部周壁２１と、上部周壁１３ｂに着脱自在に外嵌状に係合しうる（すなわち、上記下部周壁２１から上方に向かって内向き傾斜状に傾斜する）上部周壁２２とからなっており（図４では、下部周壁２１が上側で、上部周壁２２が下側になっている）、閉蓋時に、上記外壁１３に着脱自在に外嵌状に係合しうるようにしている（図１参照）。また、上記蓋体部２には、その下部周壁２１の４箇所の角部の内周面に、上記容器本体部１の各凸部１７に着脱自在に係合しうる凹部２ａ（図２では、上記各凹部２ａは、上記各角部の外周面から突出する凸部となって表れる）が形成されている。図４において、２３ａは上記蓋体部２の天井壁２３から上方に向かって突出形成された略四角形状の平板状凸部である。
【００１６】
上記中皿３は、上記したように、上面に、化粧皿４を収容する化粧皿収容凹部３a が形成されており、この化粧皿収容凹部３a の上端開口部の外周面（すなわち、上記中皿３の周側壁３ｂの上端縁外周面）から略四角形環状の鍔部２５が突設されている（図５および図６参照）。また、上記中皿３の高さは、上記容器本体部１の周側壁１１の高さより低く形成されており、その外形は、上記容器本体部１の中皿収容凹部１a の外形（上記周側壁１１の内周部の形状）より小さく形成されている。図６において、３ｃは上記中皿３の底壁である。
【００１７】
上記の構成において、上記容器本体部１の中皿収容凹部１ａに中皿３を収容, 固定する場合には、まず、上記中皿収容凹部１ａ内に中皿３を上側から挿入し（図７参照）、上記中皿収容凹部１ａの連結壁１４の上面上に中皿３の鍔部２５を載置する。この状態では、容器本体部１の周側壁１１と中皿３の周側壁３ｂとの間、および容器本体部１の底壁１５と中皿３の底壁３ｃとの間にそれぞれ所定（好適には、２ｍｍ程度）の隙間（すなわち、空気層）が形成されている。つぎに、上記蓋体部２を回動させて、上記容器本体部１の外壁１３を蓋体部２で外嵌状に覆い、容器本体部１の各凸部１７と蓋体部２の各凹部２ａとを係合させることを行う。これにより、蓋体部２の天井壁２３で中皿３の鍔部２５を上から押圧，固定した状態で、閉蓋することができる（図１参照）。
【００１８】
上記のように、この実施の形態では、上記容器本体部１の中皿収容凹部１ａの連結壁１４上に中皿３の鍔部２５を載置した状態で、上記容器本体部１に中皿３を収容，固定しているだけであるため、上記中皿３の形状が、上記中皿収容凹部１ａの形状と異なる形状であっても、上記中皿収容凹部１ａの内部に収容することができ、かつ上記連結壁１４に載置しうる鍔部２５を有する中皿３であれば、上記中皿収容凹部１ａに収容することができる。しかも、上記容器本体部１の周側壁１１，底壁１５と中皿３の周側壁３ｂ，底壁３ｃとの間に空気層が形成されており、この空気層が緩衝作用を有するため、この緩衝作用で化粧皿４や化粧料４ａを保護することができる。したがって、化粧料容器の落下時に衝撃等が容器本体部１の中皿収容凹部１ａの底壁１５に作用しても、化粧皿４や化粧料４ａが破損したり、損傷したりすることがない。しかも、中皿３の底面に接着剤層を設ける必要がなく、手や周りのものを汚したりすることがなく、取り扱いが容易であるうえ、接着剤を不要とすることができる。
【００１９】
図８は本発明の化粧料容器の他の実施の形態を示している。この実施の形態では、中皿３の底壁３ｃの下面から複数個（この実施の形態では、２個）の凸部２７が突設されている。そして、上記容器本体部１の連結壁１４上に中皿３の鍔部２５を載置した状態で、上記両凸部２７の下面が上記容器本体部１の中皿収容凹部１ａの底面に当接している。それ以外の部分は上記実施の形態と同様であり、同様の部分には同じ符号を付している。この実施の形態でも、上記実施の形態と同様の作用・効果を奏する。しかも、上記中皿３をその鍔部２５だけでなく、上記両凸部２７でも支受することができ、上記鍔部２５に作用する負荷を軽減することができる。
【００２０】
図９は本発明の化粧料容器のさらに他の実施の形態を示している。この実施の形態では、中皿３が略四角形状の枠状体に形成されており、この枠状体に、内部に固形状化粧料４ａが充填された化粧皿４が保持されている。すなわち、図１〜図７に示す実施の形態において、上記中皿３は、その底壁３ｃがその外周部に沿って大きく切欠き形成されており、この切欠き形成部２８により中皿３が枠状体に形成されている。このため、上記中皿３には、化粧皿収容凹部３a が形成されていない。それ以外の部分は上記実施の形態と同様であり、同様の部分には同じ符号を付している。この実施の形態でも、上記実施の形態と同様の作用・効果を奏する。
【００２１】
なお、上記各実施の形態では、上記中皿３の化粧皿収容凹部３a の上端開口部の外周面（すなわち、上記中皿３の周側壁３ｂの上端縁外周面）から鍔部２５を突設しているが、これに限定するものではなく、上記中皿３の周側壁３ｂの外周面であれば、どこから突設してもよい。また、上記各実施の形態では、上記鍔部２５は環状に連続しているが、非連続であってもよい。また、上記各実施の形態では、上記容器本体部１の周側壁１１と中皿３の周側壁３ｂとが離間しているが、当接していてもよい。また、図１〜図７に示す実施の形態および図８に示す実施の形態において、上記中皿３に固形状化粧料４ａを直接充填してもよい。
【図面の簡単な説明】
【００２２】
【図１】本発明の化粧料容器の一実施の形態を示す断面図である。
【図２】容器本体部および蓋体部の平面図である。
【図３】上記容器本体部の断面図である。
【図４】上記蓋体部の断面図である。
【図５】中皿および化粧皿の断面図である。
【図６】上記中皿の平面図である。
【図７】上記容器本体部に中皿を収容する状態を示す斜視図である。
【図８】本発明の化粧料容器の他の実施の形態を示す断面図である。
【図９】本発明の化粧料容器のさらに他の実施の形態を示す断面図である。
【図１０】従来例を示す断面図である。
【符号の説明】
【００２３】
１  容器本体部
１ａ  中皿収容凹部
３  中皿
３ｂ  周側壁
３ｃ  底壁
１１  周側壁
１４  連結壁
１５  底壁
２５  鍔部
【図１】
2006288806.tif 000003
【図２】
2006288806.tif 000004
【図３】
2006288806.tif 000005
【図４】
2006288806.tif 000006
【図５】
2006288806.tif 000007
【図６】
2006288806.tif 000008
【図７】
2006288806.tif 000009
【図８】
2006288806.tif 000010
【図９】
2006288806.tif 000011
【図１０】
2006288806.tif 000012